(57)【特許請求の範囲】
【請求項１】
一方側羽根と該一方側羽根を中心線回りに回転可能に結合した回転結合部と該回転結合部に前記中心線回りに回転可能に結合された連結用部材と該連結用部材と連結されるべき連結構造部を備え連結前には分離している他方側羽根とを有し前記中心線をＸＹＺ三次元軸のＺ軸としたときに連結時には前記連結用部材と前記連結構造部とがＸ方向に連結される分離型丁番において、
前記連結構造部は、両側に外側面を持ちＺ方向に突出した突出部を備えＸ方向の動きを規制されＺ方向に移動可能に支持されている結合部材と、該結合部材を前記Ｚ方向に付勢する付勢手段と、を有し、
前記連結用部材は、前記Ｘ方向に延設されていて、一面側の前記Ｘ方向の中間位置にあって両側に内側面を持ち前記一面側から退避した溝状部と、前記一面側の先端位置に前記一面側から退避する方向に傾斜するように形成された傾斜面と、を有し
前記外側面と前記内側面とは前記連結時に前記外側面が前記内側面に入って該内側面を前記Ｚ方向に加圧すると共に前記Ｙ方向に加圧する関係になるように形成されている、ことを特徴とする分離型丁番。
【請求項２】
外部から操作可能にされた係合解除機構であって、操作されることにより、前記連結時に前記外側面が前記内側面に入って該内側面を前記Ｚ方向に加圧する関係にあるときに前記付勢手段の付勢する方向の反対方向に前記結合部材を押して結合関係を解除する結合解除機構を有することを特徴とする請求項１に記載の分離型丁番
【発明の詳細な説明】
【０００１】
【発明の属する技術分野】
本発明は、一方側羽根と該一方側羽根を中心線回りに回転可能に結合した回転結合部と該回転結合部に前記中心線回りに回転可能に結合された連結用部材と該連結用部材と連結されるべき連結構造部を備え連結前には分離している他方側羽根とを有し前記中心線をＸＹＺ三次元軸のＺ軸としたときに連結時には前記連結用部材と前記連結構造部とがＸ方向に連結される分離型丁番に関し、扉を扉枠に取り付ける工事を容易にする技術として利用される。
【０００２】
【従来の技術】
例えば工場生産されるプレハブ住宅等では、別個に生産される扉枠と扉とに分離形丁番の一方側羽根と他方側羽根とが取り付けられ、扉枠は現場で建物に取り付けられたりユニットハウスに取り付けられた状態で建築現場に運ばれ、建物完成時期に別に搬入された扉が扉枠に装着される。
【０００３】
このような用途に用いられる従来の分離型丁番は、通常扉枠に取り付けられる一方側の羽根に板状の連結用部材を延設し、扉に取り付けられた他方側の羽根に断面が角形の穴状の連結構造部を設け、両者を精度良く加工して遊びなく嵌合させ、嵌合状態をセットネジで保持するようした構造のものであった。そのため、扉が動くときにガタつきがなく、扉の取付状態は良好であった。
【０００４】
しかしながら、このような丁番では、扉のワンタッチ連結ができないと共に、丁番の取付位置や取付角度の誤差や扉や枠の加工精度のばらつき等により、連結構造部が連結用部材に入らなかったり、セットネジが合わなかったり、現場で丁番を連結できないという不具合がしばしば発生した。
【０００５】
【発明が解決しようとする課題】
本発明は従来技術に於ける上記問題を解決し、現場で容易に確実にワンタッチで取り付けられ取付状態も良好な分離型丁番を提供することを課題とする。
【０００６】
【課題を解決するための手段】
本発明は上記課題を解決するために、請求項１の発明は、一方側羽根と該一方側羽根を中心線回りに回転可能に結合した回転結合部と該回転結合部に前記中心線回りに回転可能に結合された連結用部材と該連結用部材と連結されるべき連結構造部を備え連結前には分離している他方側羽根とを有し前記中心線をＸＹＺ三次元軸のＺ軸としたときに連結時には前記連結用部材と前記連結構造部とがＸ方向に連結される分離型丁番において、
前記連結構造部は、両側に外側面を持ちＺ方向に突出した突出部を備えＸ方向の動きを規制されＺ方向に移動可能に支持されている結合部材と、該結合部材を前記Ｚ方向に付勢する付勢手段と、を有し、
前記連結用部材は、前記Ｘ方向に延設されていて、一面側の前記Ｘ方向の中間位置にあって両側に内側面を持ち前記一面側から退避した溝状部と、前記一面側の先端位置に前記一面側から退避する方向に傾斜するように形成された傾斜面と、を有し
前記外側面と前記内側面とは前記連結時に前記外側面が前記内側面に入って該内側面を前記Ｚ方向に加圧すると共に前記Ｙ方向に加圧する関係になるように形成されている、
ことを特徴とする。
【０００７】
請求項２の発明は、上記に加えて、外部から操作可能にされた係合解除機構であって、操作されることにより、前記連結時に前記外側面が前記内側面に入って該内側面を前記Ｚ方向に加圧する関係にあるときに前記付勢手段の付勢する方向の反対方向に前記結合部材を押して結合関係を解除する結合解除機構を有する、ことを特徴とする。
【０００８】
請求項３の発明は、請求項１の発明の特徴に加えて、外部から操作可能にされた係合解除機構であって、操作されることにより、前記連結時に前記外側面が前記内側面に入って該内側面を前記Ｚ方向に加圧する関係にあるときに前記付勢手段の付勢する方向の反対方向に前記結合部材を押して結合関係を解除する結合解除機構を有することを特徴とする。
【０００９】
【発明の実施の形態】
図１は本発明を適用した分離型丁番を結合した状態の全体構成の一例を示し、図２はその連結構造部を拡大した図である。又図３は、連結用部材及び連結構造部４に設けられる結合部材の形状例を示す。
【００１０】
分離型丁番は、一方側羽根である本例では枠側羽根１、これを中心線であるＺ軸回りに回転可能に結合した回転結合部２、これにＺ軸回りに回転可能に結合された連結用部材３、これと連結されるべき連結構造部４を備え連結前には分離している他方側羽根である本例では扉側羽根５等を有し、中心線であるＺ軸をＸＹＺ三次元軸のＺ軸としたときに連結時には連結用部材３と連結構造部４とがＸ方向に連結されるように構成されている。
【００１１】
扉側羽根５は、空間部を形成するように凸状に曲げられた部分を持つ裏羽根５１と表羽根５２とが接合された二枚羽根になっていて、連結構造部４は空間部に設けられ、結合部材６、付勢手段であるバネ７、等を有する。符号５３は扉側羽根５を扉１００に取り付けるためのネジ穴である。なお、なお図では表羽根５２を二点鎖線で示している。又、図１で扉１００及び枠２００は、その厚み方向の一部分だけが示されている。
【００１２】
結合部材６は、両側に外側面６１ａを持ち先端面６１ｃまでＹ方向に突出した突出部６１を備えている。又本例のものは、二段状に形成されていて、図において上段の突出部６１及びこれと一体形成されていて下段にあってＺ方向に延設されている下板６２を有する。そして、下段には位置決め板８が設けられていて、その案内面８１により、被案内面６２ａを介して下板６２のＸ方向の動きを規制してＺ方向に移動可能に支持している。その結果、突出部６１を持つ結合部材６が、Ｘ方向の動きを規制されてＺ方向に移動可能になっている。
【００１３】
又、下板６２にはＺ方向に段付き切欠６２ｂが設けられていて、この中に位置決め板８の突条部８２が嵌まり込み、結合部材６のＹ方向の動きを規制している。この突条部８２は、結合部材６のＺ方向への余分の動きを止めるストッパ部にもなっている。
【００１４】
バネ７は、結合部材６をＺ方向に付勢する。そのため結合部材６には穴６３が形成されていて、バネ７が裏羽根５１の曲がった直立面５１ａを反力受けとして穴６３を介して結合部材６を押すようにしている。
【００１５】
連結用部材３は、Ｘ方向に延設されていて、一面側である一側面３１のＸ方向の中間位置にあって両側に内側面３２ａを持ち一側面３１から退避した溝状部３２、一側面３１の先端位置にこの面から退避する方向に傾斜するように形成された傾斜面３３、等を有する。
【００１６】
そして、外側面６１ａと内側面３２ａとは、連結時に外側面６１ａが内側面３２ａに入って内側面３２ａをＺ方向に加圧する関係になるように形成されている。このような関係は種々の形状の内外側面によって形成され得るが、本例では、図４（ａ）に示す如く、両側の外側面６１ａの先端部Ｐ1 、Ｐ2 の間隔ｘ1 が内側面３２ａの先端部の間隔ｘ2 より大きく、外側面６１ａが内側面３２ａに接触してこれを押すようにしている。そして、本例では外側面６１ａ及び内側面３２ａを楔状の平面とし、それらの楔角をαにしている。なお、図示の都合上、次の図も含めて図ではα／２の角度を示している。突出部６１はバネ７で付勢されているが、連結用部材３と連結構造部４とがＸ方向に分離力を受けたときにこれらの間が分離しないように、この楔角αは通常摩擦角より小さい角度にされる。
【００１７】
図４（ａ）では内外面が同じ角度αで接触する図を示したが、実際には、加工精度や取付状態により、Ｐ1 、Ｐ2 と面３２ａ又は連結用部材の溝状部３２の根元部Ｑ1 、Ｑ2 と面６１ａとの接触になることが多い。しかしそのような接触関係であっても問題はない。又、内外面は必ずしも平面でなくてもよい。
【００１８】
このような両面の接触関係は、例えば同図（ｂ）、（ｃ）、（ｄ）等のような関係になっていてもよい。（ｂ）では、両側の外側面６１ａが形成する楔角α1 を両側の内側面３２ａが形成する楔角α2 より少し小さくし、点Ｐ1 、Ｐ2 を含む紙面に直角方向である突出部６１の厚み方向の線接触になるようにしている。（ｃ）では、点Ｑ1 、Ｑ2 （Ｑ2 側の図示を省略している）を含む線接触にすることができる。（ｄ）は内側面３２ａを球面状又は円弧断面状にし、同様に点Ｐ1 とＰ2 の点接触又はこの点を含む線接触にする例である。このように、両側面の少なくとも２点を接触させ、突出部６１がバネ７によって矢印で示すＺ方向に付勢されたときに、外側面６１ａが内側面３２ａをＺ方向に加圧できる構造であれば、種々の適当な構造を採用することができる。
【００１９】
連結用部材３及び連結構造部４は基本的には以上のような構造になるが、本例のものは使用に便利なように、全体的に対称形状にされている。即ち、連結用部材３は、Ｚ方向には、一側面３１の対称位置に同じ溝状部３２及び傾斜面３３を持つ他側面３４を備えていると共に、Ｙ方向には、表面３５及び裏面３６を備えている。
【００２０】
連結構造部４は、連結用部材３に連結されたときにこれを囲うように、Ｘ方向及びＹ方向に両側案内面８３、８４及び表裏案内面５２ａ、８５を備えている。両側案内面８３、８４は、位置決め板８と一体形成されていて裏羽根５１の形成する空間内の両端部で表案内面５２ａまで延設されている。そして、連結用部材３の一側面３１、他側面３４、表面３５及び裏面３６と、これらに対向する両側案内面８３、８４、表裏案内面５２ａ、８５との間には、それぞれ適当な寸法のＺ方向隙間δz 及びＹ方向隙間δy が設けられている。
【００２１】
枠側羽根１は、詳細図示を省略しているが、本例のものは回転連結部２の取付板２１を側壁面１ａのある図示しない下羽根との間で形成されたケーシング内に挿入して取り付ける調整型構造のものであり、図において左右になるＸ方向調整用のカム付きセットネジ１ｂ、紙面に直角の前後方向になるＹ方向調整用のセットネジ１ｃ、１ｄを有する。これらにより、扉が閉められたときに、扉と枠との隙間や傾斜等が調整される。なお、通常の固定式のものを使用してもよいことは勿論である。１ｅは枠側羽根１を例えば建物の間口の枠２００に取り付けるための取付用ネジ穴である。
【００２２】
回転結合部２は、上記取付板２１と一体形成された本体部２２、両端のキャップ２３、その中の両端の位置調整ネジ２４、これらの中に嵌められた軸２５、両端のスペーサリング２６、軸２５との間で相対回転可能な両端のフランジ付きスリーブ軸受２７、等で構成されていて、スリーブ軸受２７の外径部分には連結用部材３のリング部３７が固設される。なお、取付板２１と連結用部材３とを単に回転可能なだけの構造にした通常の回転結合部を用いることも可能である。
【００２３】
以上のような分離型丁番は次のように使用され、その作用効果を発揮する。
図５は、建物等において枠に扉を装着するときの丁番結合時の状態を示す。
建物等では、通常、扉１００及び枠２００の上下２箇所の位置に丁番Ａ、Ｂが取り付けられている。これらの丁番の枠側羽根１及び扉側羽根５はそれぞれ分離した状態で扉１００及び枠２００に取り付けられ、扉と枠が別個に建物の建築現場に搬送され、建物完成時に、矢印で示す如くＸ方向に扉１００の羽根５側を枠２００の羽根５側の連結用部材３に連結することにより、扉１００が枠２００に取り付けられる。なお、装着時の作業を分かりやすくするために図５では扉１００を枠２００に対して１８０°開いて示しているが、扉の先端部分が枠２００から外れた位置であれば、どのような開き角度からでも扉を装着することができる。
【００２４】
羽根５を羽根１に連結するときには、上下の丁番Ａ、Ｂの枠側羽根１の連結用部材３に扉側羽根５の連結構造部４を同時に連結する。この場合、丁番Ａ、Ｂのそれぞれの羽根１、５が扉及び枠の予め定められた位置に取り付けられていて、連結用部材３と連結構造部４には隙間δｚ及びδｙが設けられているため、本発明の分離型丁番によれば容易にワンタッチで両者を連結し、扉を枠に装着することができる。なお、丁番Ａ、Ｂの取付誤差が大きく、隙間δｚがあっても連結構造部４を連結用部材３に連結できないときには、回転結合部２の位置調整ネジ２４を調整し、スペーサリング２６、軸２５及びスリーブ軸受２７を介して連結用部材３をＺ方向に微調整する。
【００２５】
一方、このように嵌合部分に隙間があると、分離型丁番を介して扉を枠に取り付けたときに、上記の隙間δｚ、δｙ部分及びＸ方向で扉がガタつくおそれがある。これに対して本発明を適用した分離型丁番では、以下のようにガタつきが防止される。
【００２６】
連結用部材３への連結前には、バネ７で付勢された結合部材６は、その下板６２が位置決め板８の案内面８１でＸ方向に位置決めされつつＺ方向に案内され、突条部８２の端でＺ方向にも位置決めされている。この状態で連結構造部４が連結用部材３にＸ方向に連結されると、その先端の傾斜面３３が結合部材６の突出部６１の先端の手前角部に当たり、これにＺ方向の分力を作用させ、バネ７を圧縮して先端面６１ｃが一側面３１の位置まで後退するように結合部材６を動かす。
【００２７】
連結構造部４が更にＸ方向に連結され、連結用部材３の溝状部３２が結合部材６の突出部６１の位置に来ると、バネ７に付勢されている突出部６１が溝状部３２の中に入り込み、図４に示すのような状態になって両者が接触し、扉側羽根５が枠側羽根１に連結され、結局扉１００が枠２００に取り付けられる。このとき、突出部６１と溝状部３２とが圧接状態になっているので、扉側羽根５及び扉１００のＸ方向の位置が定まり、その方向のガタつきが防止される。
【００２８】
扉が枠に装着されると、図６に示す如く、扉１００の重量Ｗが上下丁番Ａ、Ｂ部分で連結用部材３によって支持されることになるが、丁番Ａ、Ｂでは、通常下の丁番Ｂ部分で扉重量を支持するような位置関係に取り付けられる。即ち、丁番Ｂでは、案内面８３が連結用部材３の他側面３４に接触し、扉１００の重量Ｗが連結用部材３で支持され、丁番Ａでは、突出部６１と溝状部３２とが圧接し、案内面８３と他側面３４との間には隙間が生ずる。しかし、扉１００は上下丁番Ａ、ＢでＸ方向に位置決めされ下丁番ＢでＺ方向荷重を支持されるので、扉１００がＸ、Ｚ方向にガタつくことはない。なお、調整ネジ２４を調整し、連結用部材３を動かして上丁番の上側隙間をなくするようにしてもよい。
【００２９】
一方、上記の状態をＹ方向で見ると、同図（ｂ）に示す如く、扉１００の重量Ｗによるモーメントにより、上下の丁番Ａ、Ｂの扉側羽根５には矢印で示すＹ’方向及びＹ方向の水平力Ｆｈがかかり、この力が一定位置にある上下の連結用部材３で支持されるため、上の丁番Ａでは連結用部材３の表面３５と表案内面５２ａが圧接し、下の丁番Ｂでは連結用部材３の裏面３６と裏案内面８５とが圧接し、通常この状態が維持される。その結果、通常上下何れかの丁番がＹ方向にガタつき、それによって扉１００がガタつくことはない。
【００３０】
従って、本発明の分離型丁番によれば、建築現場で容易にワンタッチで丁番を連結して扉を装着でき、装着後には、扉がガタつくことなく良好な装着状態が維持される。
【００３１】
図７は本発明の分離型丁番の他の実施例として形状の異なった連結用部材３の溝状部３２及び結合部材６の突出部６１を示す。本例のものは、図３の形状に加えて、突出部６１の外側面６１ａと溝状部３２の内側面３２ａとが、連結時に外側面６１ａが内側面３２ａに入って内側面３２ａをＹ方向にも加圧する関係になるように形成されている。このような面の関係も図４に準じて種々の形状にすることができる。例えば、外側面６１ａ及び内側面３２ａを平面とし、これらのＺ方向の楔角α1 及びα2 を同じにしたり何れかを少し大きくしたり、Ｙ方向の楔角をβ1 及びβ2 を同じにしたり何れかを少し大きくする。
【００３２】
同図（ｂ）は上記構造によって生ずるＹ方向加圧力の発生する状態の説明図である。本図では、図を分かりやすくするために、外側面６１ａの先端の中間位置の点Ｐが内側面３２ａに接触するように示している。又、図において右側の状態を示しているが、左側も同様になる。
【００３３】
図において点Ｐを含む水平面Ｓ1 にＺ方向のバネ力Ｆが作用すると、この力は、まず角度α2 のＺ方向楔により、水平面Ｓ1 上で内側面３２ａ上の線Ｌに直角の方向に楔力Ｆ1 を発生させる。この楔力Ｆ1 は、次に角度β2 のＹ方向楔により、図２に示す裏羽根５１の内面５１ｂを反力面として内側面３２ａに直角の面Ｓ2 の方向に点Ｐに楔力Ｆ2 を発生させる。そして、この楔力Ｆ2 のＹ方向成分Ｆｙが、連結用部材３と連結構造部４との連結時に外側面６１ａが内側面３２ａに入って内側面３２ａをＹ方向に加圧する作用を成し、連結用部材３と連結構造部４とをＹ方向に位置決めする。この力Ｆｙは、楔角β2 を適当に定めることにより、必要とされる大きさになる。この場合、前記の如く楔角α2 を摩擦角より小さくしておけば、楔角β2 を適当に定めても、突出部６１が溝状部３２から抜け出すことはない。従って、連結構造部４と連結用部材３とのＹ方向の位置関係も保持される。
【００３４】
図８は図６（ｂ）に対応する図である。
前述の如く、Ａ丁番では扉の重量によるモーメントの作用で表案内面５２ａが連結用部材３の表面３５に圧接しているが、この状態が、突出部６１と溝状部３２との間のＺ方向楔に加えてＹ方向楔によって保持されるので、どのような力を加えてもガタつかない連結になる。Ｂ丁番では、図６（ｂ）では下案内面８５が連結用部材３の裏面３６に圧接していたが、扉の下方を丁番から離れるＹ’方向に引っ張ってバネ力によってＹ方向楔を打ち込み、Ａ丁番と同じ状態にすることにより、例えば上記引っ張り力を加える等どのような力を加えてもガタつかない連結にすることができる。
【００３５】
図９は本発明を適用した分離型丁番の更に他の実施例を示す。
本例の分離型丁番は、表羽根５２の表面側から操作可能にされた係合解除機構としてのカム部材９を備えている。カム部材９は、円筒状の支柱部９１、これに二段状に取り付けられた角形の大小カム９２、９３、表面側から操作される六角穴９４、等で構成されている。支柱部９１は表裏羽根５２、５１に回転可能に装着されている。又本例では、結合部材６のＺ方向の位置決めを位置決め板８でする代わりに、結合部材６の下板６２の先端部６２ｃを支柱９１に接触させて行うようにしている。なお、支柱９１は断面四角形のものであってもよい。
【００３６】
このようなカム部材９によれば、同図（ａ）に示すように連結用部材３に連結構造部４が連結され、外側面６１ａが内側面３２ａに入って内側面をＺ方向に加圧している状態から、六角穴９４によって支柱９１を９０°回転させるように操作することにより、大カム９２がバネ７の付勢する方向の反対方向に上記先端部６２ｃを介して加圧部材６を押し、大カムが９０°回転するとバネ力の作用によってカチッと音がして（ｄ）の状態に正確にセットされ、結合関係を解除することができる。これにより、結合部材６をＺ方向で後退させ、連結用部材３から離脱させ、扉を取り外すことができる。なお、大カム９２は、連結構造部４を連結用部材３に連結するときガイド機能も有する。
【００３７】
一方、上記のように結合関係を解除した後連結用部材３に対して連結構造部４をＸ方向に後退させると、（ｅ）に示す如く、連結用部材３の溝状部の内側面３２ａが小カム９３に当たってこれを９０°回転させ、カム部材９を（ａ）に示す元の状態に復帰させ、再び扉側羽根の連結を可能にする。このような構造にすれば、何ら操作をすることなくカム部材を自動復帰させることができ、使用に便利である。但し、このような小カムを省略し、外部から再度六角穴９４を操作して復帰させるものであってもよい。又、結合部材６の突出部６１及び連結用部材３の溝状部３２の幅が広い場合には、大小カムを一体にして加圧解除用と自動復帰用とに兼用させることができる。
【００３８】
このような丁番によれば、例えば枠と扉とを取り違えて装着したような場合に、容易に扉の付け替えができる等、丁番の機能性を向上させることができる。
なお以上では、分離型丁番が建物の扉枠と扉とに装着された例を示したが、本発明の分離型丁番は、各種容器や装置の開閉部分等にも広く利用されるものである。又、実施例の如くＺ軸が上下方向になるように用いられる丁番に限らず、水平方向になる蓋やカバー等の丁番としても使用される。
【００３９】
【発明の効果】
以上の如く本発明によれば、請求項１の発明においては、一方側羽根にＸＹＺのＺ軸回りに回転可能な連結用部材と他方側羽根に連結構造部とを設け、連結構造部を、両側に外側面を持ちＺ方向に突出した突出部を備えＸ方向の動きを規制されＺ方向に移動可能に支持されている結合部材と、これをＺ方向に付勢する付勢手段とを有する構造にするので、連結構造部において付勢部材で突出部を付勢しＸ方向の一定位置で外側面をＺ方向に付勢することができる。
【００４０】
連結用部材は、Ｘ方向に延設されていて、一面側のＸ方向の中間位置にあって両側に内側面を持ち一面側から退避した溝状部と一面側の先端位置に一面側から退避する方向に傾斜するように形成された傾斜面とを有するので、連結用部材と連結するように連結構造部をＸ方向に動かすと、付勢されている突出部は傾斜面で反付勢方向に押されて退避し、この状態で突出部を溝状部の位置まで動かすことができる。
【００４１】
ここで、突出部の外側面と溝状部の内側面とは、連結時に外側面が内側面に入って内側面をＺ方向に加圧する関係になるように形成されているので、両面が圧接することになる。これにより、例えば一方側羽根が扉枠に固定されていて連結用部材が一定位置にあるときには、連結構造部従って他方側羽根がＸ方向の一定位置で自動的に位置決めされ、これに取り付けられている扉のＸ方向位置を定めることができる。この場合、付勢部材の付勢力で内外側面を圧接させて位置決めするので、連結構造部と連結用部材とは精度の良い嵌合関係にする必要がなく、これらの間には自由に適当な寸法の隙間を設けることができる。
【００４２】
その結果、連結構造部を連結用部材に余裕をもって単に挿入するだけという最も簡単なワンタッチ操作で扉を枠に連結することができる。従って、従来の丁番のように、連結構造部を余裕のない固い嵌め合い条件で連結用部材に嵌合挿入した後セットネジで位置固定するという、相当困難で面倒であった作業を回避することができる。
【００４３】
一方、このような付勢力により、一方側羽根と他方側羽根との関係は、Ｚ方向及びＸ方向にガタつくことなく一定位置に維持される。又Ｙ方向には、通常扉が十分重いため、その重量に伴うモーメントによって羽根に一定方向の力が作用し、その力によって連結用部材に対する連結構造部の位置が定まり、ガタつきが防止される。従って、請求項１の発明によれば、最も簡単な作業により、装着状態が良好になるように扉を取り付けることができる。
【００４４】
又、上記に加えて、外側面と内側面とを連結時に外側面が内側面に入って内側面をＹ方向に加圧する関係になるように形成しているので、外側面が内側面をＺ方向に加圧した状態で更にＹ方向にも加圧することになり、扉の重量の作用に依存することなく、扉のＹ方向のガタつきを一層確実に防止することができる。
【００４５】
請求項２の発明においては、請求項１の発明に加えて、外部から操作可能にされた係合解除機構を設け、この機構を、操作されることにより、連結時に外側面が内側面に入って内側面をＺ方向に加圧する関係にあるときに、付勢手段の付勢する方向の反対方向に結合部材を押して結合関係を解除するように構成するので、上記関係を解除することによって連結構造部を連結用部材から離脱させることができる。その結果、例えば扉と枠との組み合わせを誤って扉を枠に装着したような場合に、容易に扉を交換して装着することができ、作業性を向上させることができる。
【図面の簡単な説明】
【図１】本発明を適用した分離型丁番の全体構造の一例を示す平面図である。
【図２】上記丁番の連結構造部を示し、（ａ）は平面図で（ｂ）及び（ｃ）はそれぞれＢ−Ｂ線及びＣ−Ｃ線断面図である。
【図３】  （ａ）及び（ｂ）は上記丁番の連結用部材及び結合部材の構造例を示す平面図及び斜視図である。
【図４】  （ａ）乃至（ｄ）は上記丁番の連結用部材と突出部との結合状態の例を示す説明図である。
【図５】上記丁番を扉枠及び扉に取り付けた状態を示す説明図である。
【図６】  （ａ）及び（ｂ）は連結構造部の連結用部材への取付状態を示す説明図で、（ａ）は正面状態で（ｂ）は側面状態を示す。
【図７】  上記丁番の連結用部材及び突出部の他の例を示す斜視図で、（ａ）は結合状態を示し（ｂ）はその状態で突出部が連結用部材に及ぼす力の状態を示す。
【図８】  連結構造部の連結用部材への取付部の側面状態を示す説明図である。
【図９】  上記分離型丁番の連結構造部の他の例を示し、（ａ）は全体構造を示す平面図、（ｂ）はカム部材の平面図、（ｃ）は同正面図、（ｄ）及び（ｅ）はカム部材の作用の説明図である。
【符号の説明】
１                枠側羽根（一方側羽根）
２                回転結合部
３                連結用部材
４                連結構造部
５                扉側羽根（他方側羽根）
６                結合部材
７                バネ７（付勢手段）
９                カム部材（係合解除機構）
３１              一側面（一面側）
３２              溝状部
３３              傾斜面
６１              突出部
６１ａ            外側面
Ｚ                Ｚ軸、中心線
【図１】
0004442918.tif 000002
【図２】
0004442918.tif 000003
【図３】
0004442918.tif 000004
【図４】
0004442918.tif 000005
【図５】
0004442918.tif 000006
【図６】
0004442918.tif 000007
【図７】
0004442918.tif 000008
【図８】
0004442918.tif 000009
【図９】
0004442918.tif 000010